(57)【特許請求の範囲】
【請求項１】
二次電池を有する複数の蓄電装置の各電池情報に基づき算出された前記蓄電装置毎の今後の劣化度合いに応じて、前記複数の蓄電装置から充電する蓄電装置を選択する充電制御部と、
前記充電制御部により選択された蓄電装置に充電指示を送信する送信部と、
を備え、
前記今後の劣化度合いは、選択対象となる前記複数の蓄電装置毎の任意の同一充電回数時点におけるものであって、
前記各電池情報は、前記蓄電装置の累積放電電力情報と充電回数情報を含み、
前記累積放電電力情報と、前記蓄電装置の放電電力理論値に基づいて、前記蓄電装置の劣化度合いを算出する第１の算出部と、
前記第１の算出部で算出された前記蓄電装置の劣化度合いと、前記充電回数情報に基づいて、前記蓄電装置の今後の劣化度合いを算出する第２の算出部と、をさらに備える、充電制御装置。
【請求項２】
前記充電制御部は、予測された翌日の消費電力量に基づく必要充電量と前記複数の蓄電装置の電池容量の総和を比較し、前記必要充電量が前記複数の蓄電装置の電池容量の総和より少ない場合に、前記今後の劣化度合いに応じて前記複数の蓄電装置から少なくとも１の蓄電装置を選択する、請求項１に記載の充電制御装置。
【請求項３】
前記充電制御部は、前記選択された蓄電装置の電池容量の総和が前記必要充電量を満たすよう、前記今後の劣化度合いが最も低い蓄電装置から順に選択する、請求項２に記載の充電制御装置。
【請求項４】
前記充電制御部は、前記選択された蓄電装置の電池容量の総和が前記必要充電量を満たすよう、前記今後の劣化度合いに基づき、前記複数の蓄電装置の今後の電池容量の総和が大きくなるよう蓄電装置を選択する、請求項２に記載の充電制御装置。
【請求項５】
前記充電制御部は、前記選択された蓄電装置の電池容量の総和が前記必要充電量を満たすよう、前記今後の劣化度合いに基づいて予測された電池容量が多い蓄電装置から順に選択する、請求項２に記載の充電制御装置。
【請求項６】
二次電池を有する複数の蓄電装置の各電池情報に基づき算出された前記蓄電装置毎の今後の劣化度合いに応じて、前記複数の蓄電装置から充電する蓄電装置を選択するステップと、
前記選択された蓄電装置に充電指示を送信するステップと、
を含み、
前記今後の劣化度合いは、選択対象となる前記複数の蓄電装置毎の任意の同一充電回数時点におけるものであって、
前記各電池情報は、前記蓄電装置の累積放電電力情報と充電回数情報を含み、
前記累積放電電力情報と、前記蓄電装置の放電電力理論値に基づいて、前記蓄電装置の劣化度合いを算出するステップと、
前記算出された前記蓄電装置の劣化度合いと、前記充電回数情報に基づいて、前記蓄電装置の今後の劣化度合いを算出するステップと、をさらに含む、充電制御方法。
【請求項７】
二次電池を有する複数の蓄電装置の各電池情報に基づき算出された前記蓄電装置毎の今後の劣化度合いに応じて、前記複数の蓄電装置から充電する蓄電装置を選択する処理と、
前記選択された蓄電装置に充電指示を送信する処理と、
をコンピュータに実行させ、
前記今後の劣化度合いは、選択対象となる前記複数の蓄電装置毎の任意の同一充電回数時点におけるものであって、
前記各電池情報は、前記蓄電装置の累積放電電力情報と充電回数情報を含み、
前記累積放電電力情報と、前記蓄電装置の放電電力理論値に基づいて、前記蓄電装置の劣化度合いを算出する処理と、
前記算出された前記蓄電装置の劣化度合いと、前記充電回数情報に基づいて、前記蓄電装置の今後の劣化度合いを算出する処理と、をさらに実行させる、プログラム。
【請求項８】
二次電池と、
電池情報を充電制御装置に送信する送信部と、
を有する複数の蓄電装置と；
前記複数の蓄電装置から送信された前記電池情報に基づき算出された前記蓄電装置の今後の劣化度合いに応じて、複数の前記蓄電装置から充電する蓄電装置を選択する充電制御部と、
前記充電制御部により選択された蓄電装置に充電指示を送信する送信部と、
を有する充電制御装置と；
を備え、
前記今後の劣化度合いは、選択対象となる前記複数の蓄電装置毎の任意の同一充電回数時点におけるものであって、
前記電池情報は、前記蓄電装置の累積放電電力情報と充電回数情報を含み、
前記充電制御装置は、
前記累積放電電力情報と、前記蓄電装置の放電電力理論値に基づいて、前記蓄電装置の劣化度合いを算出する第１の算出部と、
前記第１の算出部で算出された前記蓄電装置の劣化度合いと、前記充電回数情報に基づいて、前記蓄電装置の今後の劣化度合いを算出する第２の算出部と、をさらに有する、充電制御システム。
【発明の詳細な説明】
【技術分野】
【０００１】
本開示は、充電制御装置、充電制御方法、プログラム及びシステムに関する。
【背景技術】
【０００２】
近年、携帯電話やノートパソコンといったモバイル端末の電源として、繰り返し充電して利用できる二次電池が広く普及している。
【０００３】
一方で、地球環境保全及びＣＯ２排出量削減の観点から、太陽光や風力、地熱といった自然エネルギーを活用した再生可能エネルギー発電が注目されている。これら自然エネルギーは日照や風といった自然条件により時々刻々変動する為、安定した電力を供給することが困難である。そこで、二次電池と組み合わせることで出力電力を平準化し、安定した電力を供給する試みが行われている。
【０００４】
このように、近年、様々な分野で活用が期待される二次電池であるが、充放電を繰り返しているうちに劣化が起こり、電池電圧や電池容量が低下するといった課題があった。
【０００５】
例えば特許文献１では、過度の充電電流値で充電されるのを防止し、蓄電池を長寿命化する蓄電システムが開示されている。より具体的には、特許文献１に記載の蓄電システムによれば、蓄電池の残容量と負荷使用電力パターンと発電予測パターンとに基づいて、蓄電システムにおいて充電量が増大する期間が充電電流値を制限する制限時間として決定され、制限時間内における充電電流値が算出される。このため、過度の充電電流値で充電されるのを防止し、蓄電池の長寿命化を実現することができる。
【０００６】
また、例えば特許文献２では、装置における熱源からの影響を極力排除し、電源となる充電池の長寿命化を図る手法が開示されている。より具体的には、特許文献２に記載の手法によれば、複数の充電池を有する１の電子機器において、充電池の温度および残容量を検出し、その検出結果に応じて連続駆動時間を算出し、算出した連続駆動時間に基づいて充電池を選択し、選択した充電池から機器内の負荷に電力を供給させる。このため、充電池の長寿命化を実現することができる。
【先行技術文献】
【特許文献】
【０００７】
【特許文献１】特開２０１０−４１８８３号公報
【特許文献２】特開２０１０−８８２１４号公報
【発明の概要】
【発明が解決しようとする課題】
【０００８】
しかし、特許文献１に記載の発明では、二次電池の劣化の原因の一つである過度の充電電流値を防ぐことはできるが、温度や充電回数といった他の劣化原因については考慮されていない。また、特許文献１に記載の発明によって個別の二次電池の長寿命化はできるものの、複数の二次電池が混在する蓄電システムにおける電池の長寿命化は困難である。
【０００９】
また、特許文献２に記載の発明では、二次電池の劣化の原因の一つである温度に基づいて充電制御を行っているが、充電電流や充電回数といった他の劣化要因については考慮されていない。また、特許文献２に記載の発明によって複数の充電池の電力供給順序を決定し、略均等に長寿命化することが可能であるが、劣化度合いの異なる中古と新品の充電池が混在する場合や充電池のタイプが異なる場合などは、均等に長寿命化するのは困難である。
【００１０】
二次電池の長寿命化には、二次電池の種類、充電電流や温度等の利用環境、使用頻度や使用時間等の個々のユーザの使い方などを考慮する必要があり、これらはいずれも二次電池の劣化要因となり得る。したがって二次電池の劣化度合いを考慮して充電制御を行うことで、二次電池の長寿命化を図ることが考えられる。
【００１１】
そこで、本開示では、蓄電システムの総合的な長寿命化を図ることが可能な、新規かつ改良された蓄電制御装置、蓄電制御方法、プログラムおよび充電制御システムを提案する。
【課題を解決するための手段】
【００１２】
本開示によれば、二次電池を有する蓄電装置の電池情報に基づき算出された前記蓄電装置の今後の劣化度合いに応じて、複数の蓄電装置から充電する蓄電装置を選択する充電制御部と、前記充電制御部により選択された蓄電装置に充電指示を送信する送信部と、を備える、充電制御装置が提供される。
【００１３】
また、本開示によれば、二次電池を有する蓄電装置の電池情報に基づき算出された前記蓄電装置の今後の劣化度合いに応じて、複数の蓄電装置から充電する蓄電装置を選択するステップと、前記選択された蓄電装置に充電指示を送信するステップと、を含む、充電制御方法が提供される。
【００１４】
また、本開示によれば、二次電池を有する蓄電装置の電池情報に基づき算出された前記蓄電装置の今後の劣化度合いに応じて、複数の蓄電装置から充電する蓄電装置を選択する処理と、前記選択された蓄電装置に充電指示を送信する処理と、をコンピュータに実行させる、プログラムが提供される。
【００１５】
また、本開示によれば、二次電池と、電池情報を前記充電制御装置に送信する送信部と、を有する複数の蓄電装置と、前記複数の蓄電装置から送信された前記電池情報に基づき算出された前記蓄電装置の今後の劣化度合いに応じて、複数の前記蓄電装置から充電する蓄電装置を選択する充電制御部と、前記充電制御部により選択された蓄電装置に充電指示を送信する送信部と、を有する充電制御装置と、を備える充電制御システムが提供される。
【発明の効果】
【００１６】
以上説明したように本開示によれば、蓄電システムの総合的な長寿命化を図ることが可能となる。
【図面の簡単な説明】
【００１７】
【図１】本開示による充放電制御システムの概略図である。
【図２】本開示による蓄電装置２０のブロック構成図である。
【図３】本開示による電池情報通知処理を示すフローチャートである。
【図４】本開示による電池情報の具体的なデータ構造を示す図である。
【図５】本開示による充放電制御装置３０のブロック構成図である。
【図６】本開示による蓄電装置情報ＤＢの具体的なデータ構造を示す図である。
【図７】本開示による電池情報ＤＢ３３１のデータ構造を示す図である。
【図８】本開示による充電回数と電池容量の実測値と予測値のグラフを示す図である。
【図９】本開示による充電制御処理を示すフローチャートである。
【発明を実施するための形態】
【００１８】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
１．充放電制御システムの概要
２．蓄電装置
３．充放電制御装置
４．充放電制御の具体例
４−１．第１の例
４−２．第２の例
４−３．第３の例
５．むすび
【００２０】
＜１．充放電制御システムの概要＞
まず、本開示による充放電制御システムについて図１を参照して説明する。図１は、本開示による充放電制御システムの概略図である。図１に示すように、一般家庭において、商用電源１と、発電部（風力発電機２、太陽光発電機３など）からの電力供給が想定される場合に、発電部からの不安定な電力供給を平準化するため、家庭内に二次電池を搭載した蓄電装置２０ａが設置され得る。家庭内に設置される蓄電装置２０ａは、昼夜の電力料金の差に基づいて充放電を制御を行ってもよい。具体的には、蓄電装置２０ａは、電力料金が安い夜間に充電し、高い昼間に放電する制御を行ってもよい。さらに、将来、電力消費量の需要変動に応じて電気料金が変動する場合、家庭内に設置される蓄電装置２０ａは、電力消費量の需要変動を予測して充放電を制御してもよい。具体的には、蓄電装置２０ａは、電力消費量の需要が低く電気料金が安い時間帯に充電し、電力消費量の需要が高く電気料金が高い時間帯に放電する制御が行われる。蓄電装置２０ａは、家庭内の電化製品、例えば画像表示装置５、空気調節装置６、照明装置７および冷蔵庫８に給電する。
【００２１】
上述したような蓄電装置２０ａの充放電制御により、一般家庭だけではなく地域単位でも電力消費が平準化され、電力会社にとっては供給する電力が平準化するので、家庭内に蓄電装置２０を設置することは効果的である。
【００２２】
一方、次世代エコカーとして電気自動車が注目されている。電気自動車は外部から電力供給を受けて二次電池に充電し、走行時に電気自動車内の電動機に二次電池から給電する。このような電気自動車に設置される二次電池は、電気自動車を使用しない時間帯は家庭内の二次電池として利用してもよい。例えば、図１に示すように、電気自動車４に設置され、二次電池を搭載した蓄電装置２０ｂは、家庭内に設置される蓄電装置２０ａと同様に、家庭内の電化製品、例えば画像表示装置５、空気調節装置６、照明装置７および冷蔵庫８に給電してもよい。
【００２３】
このように、家庭内の電化製品に複数の二次電池から給電する環境が想定される。このような家庭内の二次電池や電気自動車が普及するにつれ、二次電池の開発が加速され、古い二次電池と新しい二次電池が混在するようになる。そこで、本開示による充放電制御システムは、充放電制御装置３０により各蓄電装置２０（蓄電装置２０ａ、２０ｂ・・・）の特性に応じた充放電制御を行うことで、複数の蓄電装置２０を総合的に長寿命化する。以下、このような充放電制御システムを構成する蓄電装置２０および充放電制御装置３０の詳細な構成を順次に説明する。
【００２４】
＜２．蓄電装置＞
本開示による蓄電制御システムが有する蓄電装置２０の構成および動作処理について図２〜４を参照して説明する。
【００２５】
図２は本開示による蓄電装置２０のブロック構成図である。図２に示すように、本開示による蓄電装置２０は、二次電池２１０、電池管理部２２０、および通信部２３０を備える。
【００２６】
二次電池２１０は、充電により繰り返し使用可能な電池である。二次電池２１０は、商用電源１や発電部（風力発電機２、太陽光発電機３など）から電気を供給され、充電する。そして、二次電池２１０に蓄えられた電力は、蓄電装置２０が設置された家庭内の家電製品、例えば画像表示装置５、空気調節装置６、照明装置７および冷蔵庫８に供給される。
【００２７】
電池管理部２２０は、二次電池２１０の充放電を制御する。例えば、電池管理部２２０は、昼間に太陽光発電機３から供給される電気で二次電池２１０を充電して夜間に放電するよう制御してもよいし、電気料金の安い夜間に商用電源１で二次電池２１０を充電して電気料金の高い昼間に放電するよう制御してもよい。
【００２８】
また、本開示による電池管理部２２０は、二次電池２１０をモニタリングし、二次電池２１０の累積放電電力と充電回数を測定する。電池管理部２２０は、測定した累積放電電力と充電回数を電池情報として通信部２３０を介して充放電制御装置に送信する電池情報通知処理を行う。また、電池管理部２２０は、充放電制御装置３０からの制御指示に応じて二次電池２１０の充放電制御を行う。
【００２９】
通信部２３０は、充放電制御装置３０とデータの送受信を行う。具体的には、電池管理部２２０が測定した累積放電電力と充電回数を電池情報として充放電制御装置３０に送信する。また、充放電制御装置３０から充放電制御指示を受信し、電池管理部２２０に出力する。
【００３０】
以上、本開示の実施形態による蓄電装置２０の構成について説明した。次に、上記電池管理部２２０による電池情報通知処理について図３を参照してより具体的に説明する。
【００３１】
図３は、本開示の実施形態による電池情報通知処理を示すフローチャートである。まず、ステップＳ２０１において、電池管理部２２０は二次電池２１０の放電が終了したか判定する。終了していない場合はステップＳ２０３に進み、終了した場合にはステップＳ２１１に進む。なお、放電が終了する前に再び充電が行われた場合は、電池情報通知処理は中止される。つまり、満充電から放電が終了する場合のみ、電池情報通知処理が実行される。満充電から放電が終了する場合が稀な場合は、充放電制御装置３により二次電池２１０が満充電から放電が終了するよう定期的に調整制御される。
【００３２】
次に、ステップＳ２０３において、電池管理部２２０は、予め設定された測定時間（例えば１秒）が経過したか判定する。測定時間が経過した場合はステップＳ２０３に進み、経過していない場合はステップＳ２０１に進む。
【００３３】
次に、ステップＳ２０５において、電池管理部２２０は、二次電池２１０の放電電力の瞬時値Ｐ（Ｗ）を測定する。
【００３４】
次いで、ステップＳ２０７において、電池管理部２２０は、測定した放電電力Ｐ（Ｗ）を累積する。ここで、ステップＳ２０５で測定された放電電力Ｐ（Ｗ）は測定間隔Ｓ（ｈ）の間維持されていると考え、放電電力Ｐ（Ｗ）×測定間隔Ｓ（ｈ）により算出された電力量ＰＳ（ｋＷｈ）を直近の累積放電電力に加算することで最新の累積放電電力が算出される。
【００３５】
そして、ステップＳ２０９において、電池管理部２２０は現在の時刻に測定間隔を足して次の測定時間をセットする。なお、測定間隔が短いほど放電電力を細かく測定することができるので、より正確な累積放電電力を測定できる。
【００３６】
続いて、電池管理部２２０は、ステップＳ２０１で放電終了と判定された場合、ステップＳ２１１において、電池管理部２２０で保持されていた充電回数を１増やす。電池管理部２２０は、満充電から放電が終了する前に充電を開始した場合（浅い充放電）は充電回数を１増やさず、充電回数にはカウントしない。
【００３７】
そして、ステップＳ２１３において、電池管理部２２０が計測した累積放電電力と充電回数を含む電池情報を、通信部２３０が充放電制御装置３０に通知する。ここで、図４を参照し、通知部２３０から通知される電池情報の具体的なデータ構造の一例を説明する。図４に示す電池情報は、電池情報送信元の蓄電装置を識別するための「蓄電装置ＩＤ」、累積放電電力を測定したときの「充電回数」、および「累積放電電力」を含む。図４に示す電池情報は、蓄電装置ＩＤが「Ｂ００１」である蓄電装置が「１００回目」の充放電で「１．０８ｋＷｈ」放電したことを示す。
【００３８】
以上、電池管理部２２０による電池情報通知処理について説明した。なお、電池情報通知処理は充放電の度に行ってもよいし、ｎ回に１回の頻度（例えば、ｎ＝１０）で行ってもよい。ｎ回に１回の頻度で電池情報通知処理を行う場合、電池管理部２２０は、保持されていた充電回数を上記ステップＳ２１１においてｎ回増やす。
【００３９】
＜３．充電制御装置＞
続いて、本開示による蓄電制御システムが備える充放電制御装置３０の構成および動作処理について図５〜図９を参照して説明する。
【００４０】
図５は本開示による充放電制御装置３０のブロック構成図である。図５に示すように、本開示による充放電制御装置３０は、通信部３１０、電池情報管理部３２０、記憶部３３０、劣化度合い予測部３４０および充放電制御部３５０を備える。
【００４１】
通信部３１０は、各蓄電装置２０（２０ａ、２０ｂ、２０ｃ．．．）とデータの送受信を行う。具体的には、通信部３１０は、各蓄電装置２０から電池情報を受信し、また、各蓄電装置２０に対して充放電制御指示を送信する。
【００４２】
電池情報管理部３２０は、通信部３１０が受信した電池情報を記憶部３３０に蓄積させる。この際、電池情報管理部３２０は、送信元蓄電装置の放電電力理論値である仕様上の電池容量（ｋＷｈ）と累積放電電力から送信元蓄電装置の現在の電池容量（％）を算出し、電池情報の一部として記憶部３３０に蓄積する。現在の電池容量（％）は、累積放電電力Ｐｒｅａｌ（ｋＷｈ）と蓄電装置に関する仕様上の電池容量Ｐｓｐｅｃ（ｋＷｈ）から、Ｐｒｅａｌ／Ｐｓｐｅｃ＊１００（％）として算出される。例えば、現在の電池容量（％）は、累積放電電力（ｋＷｈ）が仕様上の電池容量（ｋＷｈ）と同じ場合は１００％と算出され、累積放電電力（ｋＷｈ）が仕様上の電池容量（ｋＷｈ）の半分である場合は５０％と算出される。
【００４３】
なお、充放電制御装置３０は、予め各蓄電装置２０の型番データ（蓄電装置ＩＤ）と仕様上の電池容量データとを関連付けた蓄電装置情報ＤＢを保存していてもよいし、ネットワーク上に保存された蓄電装置情報ＤＢから蓄電装置の型番情報に基づいて抽出してもよい。以下、上記の蓄電装置情報ＤＢの具体的なデータ構造について図６を参照して説明する。
【００４４】
図６は、蓄電装置情報ＤＢの具体的なデータ構造を示す説明図である。図６に示すように、蓄電装置情報ＤＢは、ＩＤ、仕様上の電池容量（ｋＷｈ）、およびタイプからなる複数の蓄電装置情報を含む。例えば、図６に示したＩＤ「Ｂ００１」の蓄電装置の仕様上の電池容量は「１．２ｋＷｈ」であり、タイプは「リチウムイオン」である。また、図６に示したＩＤ「Ｂ００２」の蓄電装置の仕様上の電池容量は「３．６ｋＷｈ」であり、タイプは「リチウムイオン」である。なお、図６に示す蓄電装置情報ＤＢに含まれるタイプデータは、蓄電装置のタイプによって劣化度合いに特性がある場合、充放電を制御する際に活用することが可能である。例えば、各蓄電装置からの電池情報が十分でない場合（充電回数が初回の場合など）、充放電制御装置３０は、蓄電装置のタイプに基づいた平均的な劣化度合いに基づいて蓄電装置の劣化度合いを予測し得る。
【００４５】
また、充放電制御装置３０は、ネットワーク上に公開されている情報からデータマイニング技術により仕様上の電池容量データを抽出してもよい。あるいは、蓄電装置２０が自身の仕様上の電池容量データを電池情報の一部として送信してもよい。
【００４６】
続いて、図５に戻り充放電制御装置３０の記憶部３３０について説明する。記憶部３３０は、電池情報ＤＢ３３１を有する。電池情報ＤＢ（データベース）３３１には、電池情報管理部３２０から出力された電池情報に、電池情報ＤＢ内で電池情報を管理するための一意のＩＤが付与されたデータが蓄積される。
【００４７】
電池情報ＤＢ３３１のデータ構造について図７を参照して具体的に説明する。図７に示すように、電池情報ＤＢ３３１は、ＩＤ、蓄電装置ＩＤ、充電回数および電池容量からなる複数の電池情報を蓄積する。「ＩＤ」は電池情報ＤＢ３３１内で電池情報データを管理するための一意なＩＤである。「蓄電装置ＩＤ」、「充電回数」および「電池容量」は、上述した通りである。
【００４８】
劣化度合い予測部３４０は、電池情報ＤＢ３３１に蓄積された電池情報に含まれる蓄電装置の充電回数データと電池容量データとから、蓄電装置の今後の劣化度合いを予測する。蓄電装置の今後の劣化度合いは、蓄電装置の充電回数に応じた充電容量の減少度でもよいし、かかる減少度に基づいて求められる所定充電回数後の電池容量でもよい。例えば、劣化度合い予測部３４０は、電池情報ＤＢ３３１から蓄電装置ＩＤが同じ電池情報をグループ化し、この蓄電装置ＩＤを有する蓄電装置の充電回数ｘ（回）と電池容量ｒ（％）の組み合わせを抽出する。そして、充電回数ｘと電池容量ｒ（％）の複数の組み合わせから、未来の充電回数ｘ’回目の電池容量ｒ’を予測する。これは数値予測そのものであり、充電回数と電池容量の実測値の数が十分多ければ、例えば、ニューラルネットワーク等の技術を使って予測することができる。
【００４９】
ここで、充電回数と電池容量の実測値と予測値について図８を参照して具体的に説明する。図８は、充電回数と電池容量の実測値と予測値のグラフを示す図である。図８に示すように、ある二次電池を１００回充放電するまでの各回の電池容量を実測値として有する場合、劣化度合い予測部３４０は、かかる実測値に基づいて電池容量の将来の減少曲線を推定し、例えば２００回充放電したときの電池容量をこの減少曲線に従って予測する。図８に示す例では、劣化度合い予測部３４０は、点線で示した減少曲線を推定し、２００回充放電した場合の電池容量をこの減少曲線に従って３０％と予測できる。
【００５０】
充放電制御部３５０は、劣化度合い予測部３４０により予測された将来の電池容量の予測値に応じて、複数の蓄電装置を総合的に長寿命化するために各蓄電装置の充放電状態を制御する。具体的には、充放電制御部３５０は、複数の蓄電装置２０ａ、２０ｂ、２０ｃ...から充電する蓄電装置を選択する。充放電制御部３５０が選択した蓄電装置２０に対し、通信部３１０を介して充放電制御指示が送信される。
【００５１】
以上、図５〜図８を参照して充放電制御装置３０の構成を説明した。続いて、図９を参照し、充放電制御装置３０による充放電制御処理について図９を説明する。
【００５２】
図９は、本開示による充電制御処理を示すフローチャートである。まず、ステップＳ２２０において、充放電制御装置３０は蓄電装置２０から電池情報を受信する。受信した電池情報は、電池情報管理部３２０により記憶部３３０に蓄積される。
【００５３】
次いで、ステップＳ２２１において、充放電制御部３５０は、明日の電力消費量を予測する。例えば、家庭内の電力消費量の場合、昨日や一年前といった過去の電力消費量データに基づいて未来の（明日の）電力消費量を予測することが可能である。過去の電力消費量データは、配電盤等で家庭内の電力消費量を常にモニタリングして保存された電力消費量データを利用してもよいし、電力会社側から過去の電力消費量データを取得して利用してもよい。なお、電力消費量は気温や温度に依存する場合もあるので、充放電制御部３５０は天気予報データを考慮して明日の電力消費量を予測してもよい。
【００５４】
次に、ステップＳ２２３において、充放電制御部３５０は、明日の発電量を予測する。例えば、家庭内に太陽光発電機３が設置されている場合、充放電制御部３５０は、天気予報データや過去の発電量データから明日の太陽光発電機の発電量を予測する。
【００５５】
次に、ステップＳ２２５において、充放電制御部３５０は、予測された明日の消費電力量と、予測された明日の発電量から、明日必要な蓄電量を算出する。例えば、明日の電力消費量がＰｃ（ｋＷｈ）、明日の発電量がＰｇ（ｋＷｈ）と予測される場合、Ｐｃ−Ｐｇ（ｋＷｈ）が商用電源から給電必要な電力量として算出される。なお、充放電制御部３５０は、現在の電力料金体系のように夜間の電気代の方が昼間の電気代より安い場合は、夜間にＰｃ−Ｐｇ（ｋＷｈ）を二次電池に充電し、昼間は二次電池から給電することで、電気代を節約できる。
【００５６】
次に、ステップＳ２２７において、充放電制御部３５０は、各蓄電装置の電池容量の総和を算出する。各蓄電装置の電池容量は、電池情報ＤＢ３３１に蓄積される各電池情報の最新データ（充電回数が最も大きいデータ）の電池容量ｒ（％）と、図６に示す仕様上の電池容量Ｐｓｐｅｃ（ｋＷｈ）から  Ｐｓｐｅｃ＊ｒ／１００（ｋＷｈ）と算出できる。つまり、各蓄電装置の電池容量の総和は、ΣＰｓｐｅｃ＊ｒ／１００と算出される。
【００５７】
次いで、ステップＳ２２９において、充放電制御部３５０は、上記ステップＳ２２５で算出した明日必要な蓄電量と、上記ステップＳ２２７で算出した電池容量の総和を比較する。電池容量の総和が明日必要な蓄電量よりも大きい場合、処理はステップＳ２３１に進む。電池容量の総和が明日必要な蓄電量以下の場合、処理はステップＳ２３７へ進む。すなわち、充放電制御部３５０は、複数の蓄電装置の総電池容量より充電に必要な蓄電量が大きい場合は全ての蓄電装置を充電するよう制御し、逆に総電池容量より蓄電量が小さい場合はどの蓄電装置を充電すべきか選択する。
【００５８】
次に、ステップＳ２３１において、劣化度合い予測部３４０は、各蓄電装置の今後の劣化度合いを予測する。劣化度合い予測部３４０による劣化度合いの予測は、上述した通りである。劣化度合い予測部３４０は、予測した各蓄電装置の今後の劣化度合い情報を充放電制御部３５０に出力する。
【００５９】
続いて、ステップＳ２３３において、充放電制御部２３３は、予測された各蓄電装置の今後の劣化度合いに基づき、電池容量の総和が充電に必要な蓄電量を上回るまで、充電する蓄電装置を選択する。予測値に応じた充電する蓄電装置の選択については、＜４．充電制御の具体例＞で詳細に説明する。
【００６０】
そして、ステップＳ２３５において、充放電制御部３５０が選択した蓄電装置２０に対して通信部３１０から充放電制御指示が送信される。
【００６１】
充放電制御指示を受けた蓄電装置は商用電源もしくは発電部から充電を開始する。充放電制御指示に充電量の指示が含まれている場合は、蓄電装置２０は二次電池２１０を満充電ではなく、指示された充電量に達するまで充電を行う。
【００６２】
＜４．充電制御の具体例＞
次に、充放電制御部３５０が行う、蓄電装置の今後の劣化度合いに応じた充電する蓄電装置の選択について具体例を挙げて説明する。
【００６３】
［４−１．第１の例］
第１の例として、充放電制御部３５０は、今後の劣化度合いが低い蓄電装置を優先して充電する蓄電装置を選択する。具体的には、充放電制御部３５０は、充放電ｘ回目の電池容量（％）が高い蓄電装置を優先する。これにより、充放電による劣化の進行が少ないと予測される蓄電装置を優先的に充電することができるので、蓄電システム全体で見た場合に複数の蓄電装置のそれぞれの劣化の進行を抑えられて、総合的な電池容量（ｋＷｈ）の長寿命化が実現される。
【００６４】
なお、今後の劣化度合いが同程度である場合は、仕様上の電池容量（ｋＷｈ）が大きい蓄電装置を優先的に選択してもよい。仕様上の電池容量（ｋＷｈ）が大きい蓄電装置を優先的に選択することで、全体として選択される蓄電装置の数が少なくなる。これにより、充放電による劣化が進む蓄電装置の数を蓄電システム全体で少なくすることができるので、総合的に見て蓄電システム全体の劣化を抑えることができる。
【００６５】
［４−２．第２の例］
第２の例として、充放電制御部３５０は、各蓄電装置の今後の劣化度合いと、複数の蓄電装置の今後の電池容量（ｋＷｈ）の総和とから、複数の蓄電装置の今後の電池容量を優先して充電する蓄電装置を選択する。具体的には、劣化度合い予測部３４０が、全ての蓄電装置について、充放電ｘ回目の電池容量（％）を予測し、予測した電池容量（％）と仕様上の電池容量（ｋＷｈ）から充放電ｘ回目の電池容量（ｋＷｈ）を計算し、複数の蓄電装置の今後の電池容量の総和を予測する。充放電制御部３５０は、予測された電池容量（ｋＷｈ）の総和が大きくなるように充電する電池を選択する。
【００６６】
例えば、蓄電装置２０ａと蓄電装置２０ｂの現状の電池容量（ｋＷｈ）が、
蓄電装置２０ａ；０．９６ｋＷｈ（仕様上の電池容量１．２ｋＷｈ
× 現状の電池容量８０％）
蓄電装置２０ｂ；２．５２ｋＷｈ（仕様上の電池容量３．６ｋＷｈ
× 現状の電池容量７０％）
である場合に、以下（１）および（２）に一例を挙げて説明する。
【００６７】
（１）未来（例えば１００回充電した場合）の電池容量（ｋＷｈ）が、
蓄電装置２０ａ；０．５４ｋＷｈ（仕様上の電池容量１．２ｋＷｈ
× 未来の電池容量予測値４５％）
蓄電装置２０ｂ；１．９８ｋＷｈ（仕様上の電池容量３．６ｋＷｈ
× 未来の電池容量予測値５５％）
と予測できるとき、蓄電装置２０ａだけで１００回充電すると、１００回充電後は、
蓄電装置２０ａ；０．５４ｋＷｈ（蓄電装置２０ａのみ使うので蓄電装置２０ａが充放電により劣化して電池容量（ｋＷｈ）が減る）
蓄電装置２０ｂ；２．５２ｋＷｈ（蓄電装置２０ｂは使わないので蓄電装置２０ａは充放電による劣化はなく、充放電できる電池容量（ｋＷｈ）は維持される）
総和；３．０６ｋＷｈ
と予測できる。
【００６８】
一方、蓄電装置２０ｂだけで１００回充電すると、１００回充電後は、
蓄電装置２０ａ；０．９６ｋＷｈ（蓄電装置２０ａは使わないので蓄電装置２０ａは充放電による劣化はなく、充放電できる電池容量（ｋＷｈ）は維持される）
蓄電装置２０ｂ；１．９８ｋＷｈ（蓄電装置２０ｂのみ使うので蓄電装置２０ｂが充放電により劣化して電池容量（ｋＷｈ）が減る）
総和；２．９４ｋＷｈ
と予測できる。
【００６９】
つまり、蓄電装置２０ａだけで１００回充電した方が蓄電装置２０ｂだけで１００回充電した場合よりも、１００回後の蓄電装置の電池容量（ｋＷｈ）の総和は大きくなる。
【００７０】
（２）未来（例えば１００回充電した場合）の電池容量（ｋＷｈ）がそれぞれ、
蓄電装置２０ａ；０．３６ｋＷｈ（仕様上の電池容量１．２ｋＷｈ
× 未来の電池容量予測値３０％）
蓄電装置２０ｂ；２．１６ｋＷｈ（仕様上の電池容量３．６ｋＷｈ
× 未来の電池容量予測値６０％）
と予測できるとき、蓄電装置２０ａだけで１００回充電すると、１００回充電後は、
蓄電装置２０ａ；０．３６ｋＷｈ（蓄電装置２０ａのみ使うので蓄電装置２０ａが充放電により劣化して電池容量（ｋＷｈ）が減る）
蓄電装置２０ｂ；２．５２ｋＷｈ（蓄電装置２０ｂは使わないので蓄電装置２０ｂは充放電による劣化はなく、充放電できる電池容量（ｋＷｈ）は維持される）
総和；２．９ｋＷｈ
と予測できる。
【００７１】
一方、蓄電装置２０ｂだけで１００回充電すると、１００回充電後は、
蓄電装置２０ａ；０．９６ｋＷｈ（蓄電装置２０ａは使わないので蓄電装置２０ａは充放電による劣化はなく、充放電できる電池容量（ｋＷｈ）は維持される）
蓄電装置２０ｂ；２．１６ｋＷｈ（蓄電装置２０ｂのみ使うので蓄電装置２０ｂが充放電により劣化して電池容量（ｋＷｈ）が減る）
総和；３．１２ｋＷｈ
と予測できる。
【００７２】
つまり、蓄電装置２０ｂだけで１００回充電した方が蓄電装置２０ａだけで１００回充電した場合よりも、１００回後の蓄電装置の電池容量（ｋＷｈ）の総和は大きくなる。
【００７３】
以上（１）および（２）で説明した例によると、劣化度合いの予測だけでは（１）（２）のいずれの場合も、蓄電装置２０ａの劣化が大きいので、第１の例によれば劣化の進行が少ない蓄電装置２０ｂが優先して選択されるが、第２の例において、仕様上の電池容量（ｋＷｈ）と劣化度合いの予測値を元に、未来の電池容量（ｋＷｈ）の総和を予測すると、（１）と（２）のように優先すべき蓄電装置が異なる。
【００７４】
実際には、蓄電装置２０ａのみ、蓄電装置２０ｂのみを優先して選択する例に限られず、例えば、蓄電装置２０ａを６０回、蓄電装置２０ｂを４０回使って、合計１００回充電するといった場合のように、「蓄電装置２０ａ:蓄電装置２０ｂ」の割合を１０：０、９：１、８：２、・・・２：８、１：９、０：１０のように変更し、それぞれについて今後の電池容量（ｋＷｈ）の総和を計算し、最も総和の大きい割合になるよう充電する蓄電装置を選択する。
【００７５】
［４−３．第３の例］
充放電制御部３５０は、第３の例として、電池容量（ｋＷｈ）が大きい蓄電装置を優先的に選択する。具体的には、劣化度合い予測部３４０が全ての蓄電装置について、充放電ｘ回目の電池容量（％）を予測し、予測した電池容量（％）と仕様上の電池容量（ｋＷｈ）からｘ回目の電池容量（ｋＷｈ）を算出する。充放電制御部３５０は、算出されたｘ回目の電池容量（ｋＷｈ）が大きい蓄電装置を優先的に選択する。第３の例によれば、電池容量（ｋＷｈ）が大きい蓄電装置が優先的に充電されるため、充電される蓄電装置の個数が少なくなる。例えば、必要蓄電量が１（ｋＷｈ）の場合に、電池容量０．１ｋＷｈの蓄電装置を１０個充電することに対し、電池容量１ｋＷｈの蓄電装置を１個充電すればよい。これにより、充電回数による劣化が進む蓄電装置の数を少なくし、総合的に見ると、蓄電システム全体の劣化を抑えることができる。
【００７６】
＜５．むすび＞
上述したように、本開示による充電制御システムは、複数の二次電池が混在する場合に、各二次電池の充電回数と電池容量（％）から、今後の劣化度合いを予測して、複数の蓄電装置から充電する蓄電装置を選択して充放電制御を行うことで、充電制御システムを総合的に長寿命化することができる。
【００７７】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に相当し得ることは明らかであり、これらについても、当然に本開示の技術的範囲に属するものと了解される。
【００７８】
例えば、上記実施形態では、電池情報管理部３２０が、送信元蓄電装置の仕様上の電池容量（ｋＷｈ）と累積放電電力から電池容量（％）を算出し、電池情報の一部として記憶部３３０に蓄積するが、本技術はかかる例に限定されない。蓄電装置２０が予め電池容量（ｋＷｈ）を算出し、電池情報の一部として充放電制御装置３０に送信してもよい。
【００７９】
また、上記実施形態では、充放電制御装置３０は家庭内に設置され、各蓄電装置と有線または無線で接続されるが、本技術はかかる例に限定されない。例えば、充放電処理装置３０と蓄電装置２０の通信部が接続できる構成であれば、例えばインターネット上に配置してもよい。この場合、インターネット上に配置された充放電制御装置は、各家庭の蓄電装置から得られた電池情報を一元管理する。一家庭だけでなく、他の多くの家庭で計測された膨大な電池情報を一元管理することで、電気消費量の予測や太陽光発電量の予測の精度を上げることができる。
【００８０】
なお、本技術は以下のような構成も取ることができる。
（１）  二次電池を有する蓄電装置の電池情報に基づき算出された前記蓄電装置の今後の劣化度合いに応じて、複数の蓄電装置から充電する蓄電装置を選択する充電制御部と、
前記充電制御部により選択された蓄電装置に充電指示を送信する送信部と、
を備える、充電制御装置。
（２）  前記電池情報は、前記蓄電装置の累積放電電力情報と充電回数情報を含み、
前記充電制御装置は、
前記累積放電電力情報と、前記蓄電装置の放電電力理論値に基づいて、前記蓄電装置の劣化度合いを算出する第１の算出部と、
前記第１の算出部で算出された前記蓄電装置の劣化度合いと、前記充電回数情報に基づいて、前記蓄電装置の今後の劣化度合いを算出する第２の算出部と、
をさらに備える、前記（１）に記載の充電制御装置。
（３）  前記充電制御部は、必要消費電力値と前記複数の蓄電装置の電池容量の総和を比較し、前記必要電力値が前記複数の蓄電装置の電池容量の総和より少ない場合に、前記複数の蓄電装置から少なくとも１の蓄電装置を選択する、前記（１）または（２）に記載の充電制御装置。
（４）前記充電制御部は、前記選択された蓄電装置の電池容量の総和が前記必要消費電力値を満たすよう、前記今後の劣化度合いが最も低い蓄電装置から順に選択する、前記（１）から（３）のいずれか１項に記載の充電制御装置。
（５）前記充電制御部は、前記選択された蓄電装置の電池容量の総和が前記必要消費電力値を満たすよう、前記複数の蓄電装置の今後の電池容量の総和が大きくなるよう蓄電装置を選択する、前記（１）から（３）のいずれか１項に記載の充電制御装置。
（６）  前記充電制御部は、前記選択された蓄電装置の電池容量の総和が前記必要消費電力値を満たすよう、前記今後の電池容量が多い蓄電装置から順に選択する、前記（１）から（３）のいずれか１項に記載の充電制御装置。
【符号の説明】
【００８１】
２０      蓄電装置
２１０    二次電池
２２０    電池管理部
２３０    通信部
３０      充放電制御装置
３１０    通信部
３２０    電池情報管理部
３３０    記憶部
３４０    劣化度合い予測部
３５０    充放電制御部
【図１】
0005747610.tif 000002
【図２】
0005747610.tif 000003
【図３】
0005747610.tif 000004
【図４】
0005747610.tif 000005
【図５】
0005747610.tif 000006
【図６】
0005747610.tif 000007
【図７】
0005747610.tif 000008
【図８】
0005747610.tif 000009
【図９】
0005747610.tif 000010